(57)【特許請求の範囲】
【請求項１】
液晶表示パネルと、複数の光源を含む回路部品が実装されたフレキシブル基板と、導光体とを備えた液晶表示装置であって、
前記フレキシブル基板は、細長い切れ込みによって互いに分けられた第１の回路部品実装部と第２の回路部品実装部とを有し、
前記第２の回路部品実装部は、前記第１の回路部品実装部よりも幅の狭い帯状であるとともに、１つの前記第２の回路部品実装部の中に前記第２の回路部品実装部の長手方向に互いに所定の間隔を離して前記複数の光源が実装されており、
前記第２の回路部品実装部を少なくとも１回折り返して前記複数の光源からの光が前記導光体に入射するよう前記複数の光源を配置したことを特徴とする液晶表示装置。
【請求項２】
前記フレキシブル基板の平面内において、前記第２の回路部品実装部の折り返し前の長手方向と折り返し後の長手方向とがほぼ直角であることを特徴とする請求項１に記載の液晶表示装置。
【請求項３】
前記細長い切れ込みは前記フレキシブル基板の長手方向に沿って形成されていることを特徴とする請求項１又は２に記載の液晶表示装置。
【請求項４】
前記導光体は、前記液晶表示パネルと前記第１の回路部品実装部との間に配置されていることを特徴とする請求項１から３の何れかに記載の液晶表示装置。
【請求項５】
前記第１の回路部品実装部の前記回路部品の実装面は、前記導光体側であることを特徴とする請求項４に記載の液晶表示装置。
【請求項６】
前記フレキシブル基板は、前記複数の光源を含む回路部品が片面実装されていることを特徴とする請求項１から５の何れかに記載の液晶表示装置。
【発明の詳細な説明】
【０００１】
【発明の属する技術分野】
本発明は、補助光源装置を有する液晶表示装置に関する。
【０００２】
【従来の技術】
図８は、従来の液晶表示装置に用いられるフレキシブル基板の一例を説明する平面図である。また、図９は、従来の液晶表示装置の組立工程の一例を説明する斜視図である。
【０００３】
図８に示す従来のフレキシブル基板１０１は、第１の回路部品実装部１０８と、これに直交する方向に帯状に形成された第２の回路部品実装部１０９とを有し、全体としてほぼＬ字型の形状をしている。第１の回路部品実装部１０８には、その表面に複数の回路部品１０６が実装されている。また、第２の回路部品実装部１０９には、その表面に例えばＬＥＤなどの３つの光源１０５が帯状の長手方向に沿って並んで実装されている。尚、この光源１０５も回路部品１０６の一種である。光源１０５を含む回路部品１０６はフレキシブル基板１０１に片面実装されている。すなわち、全ての部品はフレキシブル基板１０１の片面側に実装されている。
【０００４】
そして、図９に示すように、液晶表示パネル２とフレキシブル基板１０１とを接続し、フレキシブル基板１０１の上に導光体４を有する導光体のユニット３を配置する。このとき、フレキシブル基板１０１の部品実装面は導光体のユニット３の側としている。そして、第２の回路部品実装部１０９を矢印１２３に示すように折り返して光源１０５を導光体の入光面に対向させる。その後、液晶表示パネル２を矢印１２４に示すように折り返して液晶表示装置を組み立てていた。
【０００５】
尚、図８及び図９で説明した方式以外にも、ＬＥＤをフレキシブル基板に搭載した液晶表示装置の例としては特開平２００１−１３３７５６号公報がある。
【０００６】
【発明が解決しようとする課題】
しかし、図８に示した従来のフレキシブル基板１０１では、帯状の第２の回路部品実装部１０９が他の部分から大幅に突出した形状となっているため部品搬送の際の取り扱いが難しいという問題があった。特に、自動組立装置で搬送できるフレキシブル基板の外形には制限があり、大幅に突出した部分があると途中でつかえてしまう。そのため、フレキシブル基板１０１をある程度の大きさ以下にしなければならないが、これによって第１の回路部品実装部１０８の大きさにも制限が加わってしまい、設計の自由度が制限されてしまう。また、フレキシブル基板を製造する際にも、この大幅に突出した部分があると母材において無駄な領域が生じ、製造コストの増加につながってしまう。
【０００７】
本発明の目的は、光源を搭載するフレキシブル基板において大幅に突出した部分のないの形状を実現し、これを用いた液晶表示装置を得ることである。
【０００８】
【課題を解決するための手段】
本発明の目的を達成するために、フレキシブル基板に細長い切れ込みを入れて帯状部分を形成し、この帯状部分に光源を搭載する。これにより、光源が搭載された帯状部分がフレキシブル基板の大部分を占めている主部の形状にほぼ沿った形状となるため大幅に突出した部分がなくなる。そして、この帯状部分を少なくとも１回折り返して光源からの光が導光体に入射するよう光源を配置する。
【０００９】
本発明を適用した液晶表示装置の代表的な構成としては次のようなものが挙げられる。
【００１０】
（１）、液晶表示パネルと、複数の光源を含む回路部品が実装されたフレキシブル基板と、導光体とを備えた液晶表示装置であって、
前記フレキシブル基板は、細長い切れ込みによって互いに分けられた第１の回路部品実装部と第２の回路部品実装部とを有し、
前記第２の回路部品実装部は、前記第１の回路部品実装部よりも幅の狭い帯状であるとともに、前記複数の光源が実装されており、
前記第２の回路部品実装部を少なくとも１回折り返して前記複数の光源からの光が前記導光体に入射するよう前記複数の光源を配置したことを特徴とする。
【００１１】
（２）、（１）において、前記第２の回路部品実装部の折り返し前の長手方向と折り返し後の長手方向とがほぼ直角であることを特徴とする。
【００１２】
（３）、（１）又は（２）において、前記細長い切れ込みは前記フレキシブル基板の長手方向に沿って形成されていることを特徴とする。
【００１３】
（４）、（１）から（３）の何れかにおいて、前記導光体は、前記液晶表示パネルと前記第１の回路部品実装部との間に配置されていることを特徴とする。
【００１４】
（５）、（４）において、前記第１の回路部品実装部の前記回路部品の実装面は、前記導光体側であることを特徴とする。
【００１５】
（６）、（１）から（５）の何れかにおいて、前記フレキシブル基板は、前記複数の光源を含む回路部品が片面実装されていることを特徴とする。
【００１６】
尚、本発明は上記の構成に限定されるものではなく、本発明の技術思想を逸脱することなく種々の変更が可能である。
【００１７】
【発明の実施の形態】
図１は、本発明を適用した液晶表示装置に用いられるフレキシブル基板の一例を説明する平面図である。
【００１８】
図１に示す通り、組立前の展開された状態のフレキシブル基板１は、フレキシブル基板１の長手方向に沿って細長い切れ込み７が形成されており、これによって第１の回路部品実装部８と第２の回路部品実装部９とに互いに分けられている。第１の回路部品実装部６には、複数の回路部品６が実装されている。回路部品６の例としては、ゲートドライバ１０などのドライバや、電源や、コンデンサなどが挙げられるが、必ずしもこれら全てをフレキシブル基板上に搭載する必要はなく、例えば液晶表示パネルの基板上など他の場所に実装しても良い。この第１の回路部品実装部６が、フレキシブル基板１の大部分を占める主部となる。尚、符号１２は位置決め穴である。また、この他にインターフェース部が設けられるが、図示を省略した。
【００１９】
第２の回路部品実装部９は、第１の回路部品実装部８よりも幅の狭い帯状の形状を有しており、ここには例えばＬＥＤなどの光源５が３個並んで実装されている。尚、光源５の数は３個に限られず、１個以上の必要な数を搭載すれば良い。複数の光源５を並べて配置した場合には、後述する組立工程で光源５を導光体４の入光面に対向させる時に複数の光源５を一括で配置できるという効果がある。尚、この光源５も回路部品６の一種である。
【００２０】
このように、細長い切れ込み７を形成することによって形成された帯状の第２の回路部品実装部９に光源５を搭載することにより、この帯状部分がフレキシブル基板１の大部分を占めている主部である第１の回路部品実装部８の形状にほぼ沿った形状となり、従来の図８の場合とは異なり大幅に突出した部分がなくなる。尚、ここでいうほぼ沿った形状というのは、厳密に両者が平行な場合だけでなく、ある程度開いた角度を持っている場合をも含むものである。
【００２１】
また、光源５が複数実装されて帯状部分が長くなっても、この部分は突出していない。
【００２２】
ここで、図１では、この切れ込み７をフレキシブル基板１の長手方向に形成している。このような構成にすれば、帯状部分が長くなっても長手方向の範囲内に収めることができるという効果がある。尚、これに限られず、切れ込み７を長手方向以外の方向に形成しても良い。
【００２３】
また、切れ込み７の形状としては、図１では１本の線として形成し、先端部分（帯状部分の根元の部分）に穴を空けたものを示したが、これに限られず、矩形状やＵ字型に形成しても良い。この場合は、第１の回路部品実装部８と第２の回路部品実装部９との間が少し離れるようなものとなる。また、Ｖ字型に形成するものであっても良い。この場合、第１の回路部品実装部８の領域を斜め方向に切り取ったり、第２の回路部品実装部９を第１の回路部品実装部８に対して若干の開いた角度を持って延在させることになる。この場合、多少突出してしまうことになってしまうが、図８のＬ字型の場合のように９０度の開いた角度で突出した場合に比べれば大幅な突出はない。突出の角度は、４５度以下の開いた角度で突出することが望ましく、より好ましくは３０度以下、さらに好ましくは１５度以下であり、０度に近いほど望ましい。この切れ込み７の形状は以上の例示に限らず様々な形状を採用することができる。
【００２４】
尚、光源５などを含む回路部品６は、フレキシブル基板１に片面実装されている。従って、両面実装の場合に比べてコストの低減と製造工程の簡略化ができる。
【００２５】
次に、このフレキシブル基板１を用いた液晶表示装置の組立工程について説明する。
【００２６】
図２から図５は、本発明による液晶表示装置の組立工程を説明する斜視図である。尚、これらの図では回路部品６などは図示を省略している。図１と同一部分については同じ符号を付し、重複説明は省略する。これ以後の図についても同様である。
【００２７】
図２に示すように、図１で説明したフレキシブル基板１と液晶表示パネル２とを接続する。尚、フレキシブル基板１の回路部品実装面を表側にして図示している。
【００２８】
次に、図３に示すように、光源５が実装された帯状の第２の回路部品実装部９を、矢印２０に示すようにこれまでと９０度異なる方向に部品実装面を裏返すようにして折り返す。
【００２９】
さらに、図４に示す通り、第２の回路部品実装部９を、矢印２１に示すように図の下方向に向けて部品実装面を更に裏返して表向きになるように折り返す。このようにすることで、図８に示した従来のフレキシブル基板１０１とほぼ同様の構成となる。また、導光体４を有する導光体のユニット３を矢印２２に示すように第１の部品回路実装部８の上に配置する。
【００３０】
次に、図５に示す通り、第２の回路部品実装部９を、矢印２３に示すように導光体４の入光面の方向に折り返し、光源５からの光が導光体４に入射するよう光源５を配置させる。そして、矢印２４に示すように液晶表示パネルを折り返してフレキシブル基板１と液晶表示パネル２の間に導光体４を挟み込むようにして組立が完成する。
【００３１】
本実施例では、組立前の展開した状態における第２の回路部品実装部９の延在方向が導光体４の入光面の方向と異なっているため、組立後では第２の回路部品実装部９の延在方向が組立前と異なる方向になっている。本実施例では両者の角度が９０度であるが、厳密に直角ではなくほぼ直角であっても良い。ずれの範囲としては±１５度以内が望ましい。尚、必ずしも組立前の展開した状態における第２の回路部品実装部９の延在方向が導光体４の入光面の方向と異なっている必要はない。
【００３２】
図６は、本発明による組立後の液晶表示装置の斜視図である。
【００３３】
本実施例では、ドレインドライバ１１を液晶表示パネル２の基板上に実装しているが、ゲートドライバと統合してワンチップとしたり、フレキシブル基板１上に実装したりするなど適宜変更してもよい。
【００３４】
図７は、図６の液晶表示装置の構成を説明する展開斜視図である。
【００３５】
液晶表示パネル２とフレキシブル基板１との間には導光体４を有する導光体のユニット３が配置されている。導光体のユニット３は、両面テープ３１、光学シート３２、導光体４、これらを収容するモールド３４、両面テープ３５がこの順番で順次積層されている。但し、これはあくまで一例であり、種々の変更が可能である。
【００３６】
尚、これまで説明してきた実施例では、折り返し回数が３回のものであるが、１回目で導光体４の入光面側に折り返せば１回の折り返しで済ませることも可能である。但し、この場合は図２から図５で説明した方法に比べると第２の部品実装部９の根元の部分で多少出っ張りが出てしまうのでマージンが必要になる。
【００３７】
また、フレキシブル基板１の部品実装面を導光体４側としているが、導光体４と反対側としても良い。この場合でも、第２の部品実装部９を１回以上折り返すことで光源５からの光を導光体４に入射させることが可能である。
【００３８】
また、回路部品６の実装は片面実装に限られず、両面実装でも良い。
【００３９】
また、補助光源装置としてバックライト方式ではなく、フロントライト方式であっても良い。この場合、導光体４は、液晶表示パネル２の背面側ではなく表示面側に配置される。
【００４０】
【発明の効果】
本発明によれば、光源を搭載するフレキシブル基板において大幅に突出した部分のないの形状を実現し、これを用いた液晶表示装置を得ることができる。
【図面の簡単な説明】
【図１】本発明を適用した液晶表示装置に用いられるフレキシブル基板の一例を説明する平面図である。
【図２】本発明による液晶表示装置の組立工程を説明する斜視図である。
【図３】本発明による液晶表示装置の組立工程を説明する斜視図である。
【図４】本発明による液晶表示装置の組立工程を説明する斜視図である。
【図５】本発明による液晶表示装置の組立工程を説明する斜視図である。
【図６】本発明による組立後の液晶表示装置の斜視図である。
【図７】図６の液晶表示装置の構成を説明する展開斜視図である。
【図８】従来の液晶表示装置に用いられるフレキシブル基板の一例を説明する平面図である。
【図９】従来の液晶表示装置の組立工程の一例を説明する斜視図である。
【符号の説明】
１…フレキシブル基板、２…液晶表示パネル、３…導光体のユニット、４…導光体、５…光源、６…回路部品、７…切れ込み、８…第１の回路部品実装部、９…第２の回路部品実装部、１０…ゲートドライバ、１１…ドレインドライバ、１２…位置決め穴、２０，２１，２２，２３，２４…矢印、３１…両面テープ、３２…光学シート、３３…反射シート、３４…モールド、３５…両面テープ、１０１…フレキシブル基板、１０５…光源、１０６…回路部品、１０８…第１の回路部品実装部、１０９…第２の回路部品実装部、１２３、１２４…矢印。
【図１】
0004127759.tif 000002
【図２】
0004127759.tif 000003
【図３】
0004127759.tif 000004
【図４】
0004127759.tif 000005
【図５】
0004127759.tif 000006
【図６】
0004127759.tif 000007
【図７】
0004127759.tif 000008
【図８】
0004127759.tif 000009
【図９】
0004127759.tif 000010